(57)【要約】【課題】利便性を向上できる包装袋を提供する。【解決手段】積層フィルム６０の対向する端縁を熱接着して内部に内容物３０を収納する収納袋１０と、収納袋１０の一部に開口して内容物３０を取出す取出口１１と、取出口１１の周縁に粘着して取出口１１を封止するとともに剥離後に再粘着して取出口１１を再封止可能な蓋用ラベル１２と、収納袋１０に粘着して剥離後に再粘着可能な粘着テープ１３と、を備える。【選択図】図１
2020179863.tif 000002
【特許請求の範囲】
【請求項１】
積層フィルムの対向する端縁を熱接着して内部に内容物を収納する収納袋と、
前記収納袋の一部に開口して前記内容物を取出す取出口と、
前記取出口の周縁に粘着して前記取出口を封止するとともに剥離後に再粘着して前記取出口を再封止可能な蓋用ラベルと、
前記収納袋に粘着して剥離後に再粘着可能な粘着テープと、を備えることを特徴とする包装袋。
【請求項２】
前記粘着テープは、前記蓋用ラベルと同一部材から成り、前記蓋用ラベルと切離線を介して連設されることを特徴とする請求項１に記載の包装袋。
【請求項３】
前記粘着テープは、端部に非粘着領域を有することを特徴とする請求項１又は請求項２に記載の包装袋。
【請求項４】
前記収納袋は、樹脂フィルムの対向する端縁を熱接着して形成される外装袋の内部に収納されることを特徴とする請求項１〜請求項３のいずれかに記載の包装袋。
【請求項５】
前記樹脂フィルムは、最内層側に熱接着性樹脂層を有し、
前記熱接着性樹脂層は、消臭剤を含有することを特徴とする請求項４に記載の包装袋。
【請求項６】
前記樹脂フィルムは、消臭インキを含む消臭インキ層を含むことを特徴とする請求項４又は請求項５に記載の包装袋。
【請求項７】
前記外装袋は、一方向に延びる開封予定線が形成され、前記開封予定線は前記樹脂フィルムに形成された非貫通の切込みから成ることを特徴とする請求項４〜請求項６のいずれかに記載の包装袋。
【請求項８】
積層フィルの対向する端縁を熱接着して内部に内容物を収納する収納袋と、
前記収納袋の一部に開口して前記内容物を取出す取出口と、
前記取出口の周縁に粘着して前記取出口を封止するとともに剥離後に再粘着して前記取出口を再封止可能な蓋用ラベルと、
前記収納袋に粘着して剥離後に再粘着可能な粘着テープと、
樹脂フィルムの対向する端縁を熱接着して前記収納袋を内部に収納する外装袋と、を備えた包装袋の使用方法であって、
前記外装袋を開封して前記収納袋を前記外装袋から取出す開封工程と、
前記蓋用ラベルを剥離して前記取出口から前記内容物を取出す取出工程と、
使用後の前記内容物を前記外装袋に収納する収納工程と、
前記粘着テープを前記収納袋から剥離し、前記外装袋の開口部を折曲して前記粘着テープで前記外装袋を封止する封止工程と、を備えたことを特徴とする包装袋の使用方法。
【発明の詳細な説明】
【技術分野】
【０００１】
本発明は、包装袋及び包装袋の使用方法に関する。
【背景技術】
【０００２】
従来の再封可能な包装袋が特許文献１に開示される。この包装袋はウェットティッシュを内部に収納する。包装袋の上面部にはウェットティッシュを取出す取出口が形成される。取出口の周縁は蓋用ラベルが粘着されて取出口が封止される。開封後、蓋用ラベルは包装袋に再粘着して取出口を再封止する。これにより、蓋用ラベルの開閉を繰り返してウェットティッシュの乾燥を防ぐことができる。
【先行技術文献】
【特許文献】
【０００３】
【特許文献１】実開昭６２−１７１４８０
【発明の概要】
【発明が解決しようとする課題】
【０００４】
しかしながら、上記包装袋によると、使用済みのウェットティッシュは、ウェットティッシュ自体の芳香効果及び拭き取った汚れの臭いによって周囲を不快に感じさせることがあり、利便性が悪い問題があった。
【０００５】
本発明は上記問題点に鑑み、利便性を向上できる包装袋及びその使用方法を提供することを目的とする。
【課題を解決するための手段】
【０００６】
上記目的を達成するために本発明は、積層フィルの対向する端縁を熱接着して内部に内容物を収納する収納袋と、前記収納袋の上面部に開口して前記内容物を取出す取出口と、前記取出口の周縁に粘着して前記取出口を封止するとともに剥離後に再粘着して前記取出口を再封止可能な蓋用ラベルと、前記収納袋に粘着して剥離後に再粘着可能な粘着テープと、を備えることを特徴とする。この構成によると、使用済の内容物を入れたゴミ袋等の口が収納袋から剥離された粘着テープにより封止される。
【０００７】
また本発明は、上記構成の包装袋において、前記粘着テープは、前記蓋用ラベルと同一部材から成り、前記蓋用ラベルと切離線を介して連設されることを特徴としている。
【０００８】
また本発明は、上記構成の包装袋において、粘着テープは、端部に非粘着領域を有することを特徴としている。
【０００９】
また本発明は、上記構成の包装袋において、前記収納袋は、樹脂フィルムの対向する端縁を熱接着して形成される外装袋の内部に収納されることを特徴としている。
【００１０】
また本発明は、上記構成の包装袋において、前記樹脂フィルムは、最内層側に熱接着性樹脂層を有し、前記熱接着性樹脂層は、消臭剤を含有することを特徴としている。
【００１１】
また本発明は、上記構成の包装袋において、前記樹脂フィルムは、消臭インキを含む消臭インキ層を含むことを特徴としている。
【００１２】
また本発明は、上記構成の包装袋において、前記外装袋は、一方向に延びる開封予定線が形成され、前記開封予定線は前記樹脂フィルムに形成された非貫通の切込みから成ることを特徴としている。この構成によると、開封用切れ目に沿って形成される切断線により外装袋が開封される。
【００１３】
また本発明は、積層フィルの対向する端縁を熱接着して内部に内容物を収納する収納袋と、前記収納袋の上面部に開口して前記内容物を取出す取出口と、前記取出口の周縁に粘着して前記取出口を封止するとともに剥離後に再粘着して前記取出口を再封止可能な蓋用ラベルと、前記収納袋に粘着して剥離後に再粘着可能な粘着テープと、樹脂フィルムの対向する端縁を熱接着して前記収納袋を内部に収納する外装袋と、を備えた包装袋の使用方法であって、前記外装袋を開封して前記収納袋を前記外装袋から取出す開封工程と、前記蓋用ラベルを剥離して前記取出口から前記内容物を取出す取出工程と、使用後の前記内容物を前記外装袋に収納する収納工程と、前記粘着テープを前記収納袋から剥離し、前記外装袋の開口部を折曲して前記粘着テープで前記外装袋を封止する封止工程と、を備えたことを特徴としている。
【発明の効果】
【００１４】
本発明によると、収納袋に再粘着可能な粘着テープを設けたので、使用済の内容物を入れたゴミ袋等の口を収納袋から剥離した粘着テープで封止できる。これにより、内容物の臭いをゴミ袋内部に閉じ込めて外部に漏出することを防止できる。従って、包装袋の利便性を向上できる。
【図面の簡単な説明】
【００１５】
【図１】本発明の第１実施形態に係る包装袋の斜視図
【図２】本発明の第１実施形態に係る包装袋の上面図
【図３】本発明の第１実施形態に係る包装袋の収納袋の斜視図
【図４】本発明の第１実施形態に係る収納袋を構成する積層フィルムの層構成を示す断面図
【図５】本発明の第１実施形態に係る外装袋を構成する樹脂フィルムの層構成を示す断面図
【図６】本発明の第１実施形態に係る包装袋の使用方法を説明する説明図
【図７】本発明の第１実施形態に係る包装袋の使用方法を説明する説明図
【図８】本発明の第２実施形態に係る外装袋を構成する樹脂フィルムの層構成を示す断面図
【発明を実施するための形態】
【００１６】
［第１実施形態］
以下に本発明の第１実施形態を図面を参照して説明する。図１、図２は包装袋１の斜視図及び上面図であり、図３は収納袋１０の斜視図である。
【００１７】
包装袋１は、外装袋２０及び収納袋１０を有する。外装袋２０は、収納袋１０を内部に収納し、収納袋１０を保護する。また、外装袋２０の端部には挿通孔２０ｃが設けられ、包装袋１は店舗等で陳列棒を挿通孔２０ｃに挿通して吊り下げて陳列することができる。
【００１８】
また、外装袋２０は、後述するように収納袋１０を取出した後、収納袋１０から取出されたウェットティッシュ３０を収納するゴミ袋として使用できる。
【００１９】
外装袋２０は、後述する基材層７１と熱接着性樹脂層７３とを含む樹脂フィルム７０（図５参照）を対向配置して周辺を熱接着部２１により熱接着して形成される。熱接着部２１には開封用の切り込みであるノッチ２０ａとノッチ２０ａから一方向に延びる開封予定線２０ｂが設けられている。これにより、開封予定線２０ｂに沿って外装袋２０を容易に開口することができる。
【００２０】
開封予定線２０ｂは基材層６１を厚み方向に所定深さで切断した非貫通の切込み（不図示）から成り、炭酸レーザー等のレーザー光の照射により形成することができる。開封予定線２０ｂはミシン目状又は線状に形成できる。
【００２１】
また、外装袋２０は、樹脂フィルム７０を貫通する微細なガス抜き孔（不図示）が設けられる。外装袋２０内に収納袋１０を収納した後に外装袋２０内に溜まったガスはガス抜き孔を介して外部に放出される。なお、ガス抜き孔は開封予定線２０ｂを形成する際に、開封予定線２０ｂよりも炭酸レーザー光の照射時間を長くすることにより容易に形成できる。
【００２２】
収納袋１０は、内部にウェットティッシュ３０を収納する。また、上面部にウェットティッシュ３０を取出すための取出口１１が設けられ、取出口１１は蓋用ラベル１２により封止される。また、蓋用ラベル１２は取出口１１の周縁から剥離後に再粘着して取出口１１を再封止できる。
【００２３】
ウェットティッシュ３０は、耐水性の紙や不織布に、水や保湿剤等を含ませて形成される。取出口１１は、収納袋１０の上面部に長円状の切目線１１ｂを設けて形成される。切目線１１ｂ上に蓋用ラベル１２が貼着され、蓋用ラベル１２を収納袋１０から剥離したときに、切目線１１ｂに沿って収納袋１０が破断する。このとき、切目線１１ｂの内側のフィルム１１ａが蓋用ラベル１２に粘着し、収納袋１０の上面部に長円形の取出口１１が開口する。
【００２４】
蓋用ラベル１２は、ミシン目から成る切離線１４を介して粘着テープ１３と連設され、蓋用ラベル１２及び粘着テープ１３は、同一部材から成る。これにより、蓋用ラベル１２と粘着テープ１３とを一体に形成することができ、包装袋１の製造コストを削減できる。また、収納袋１０に蓋用ラベル１２と粘着テープ１３とを同時に貼着することができ、包装袋１の生産性が向上する。
【００２５】
蓋用ラベル１２及び粘着テープ１３は、例えば、ポリエチレンテレフタレート、ナイロン、ポリプロピレンにより形成される。なお、蓋用ラベル１２及び粘着テープ１３は、単独のフィルムを用いてもよいし、これらのフィルムを複数積層した形成してもよい。
【００２６】
蓋用ラベル１２及び粘着テープ１３の下面には粘着剤が塗布され、再粘着性を有する。粘着剤はアクリル系粘着剤、ウレタン系粘着剤、シリコーン系粘着剤を用いることができる。また、その他各種粘着性樹脂を用いてもよい。
【００２７】
また、蓋用ラベル１２及び粘着テープ１３は略矩形に形成され、蓋用ラベル１２の先端（切離線１４の反対側）は一部突出して突出部１２ａが形成される。また、粘着テープ１３の蓋用ラベル１２とは反対側の辺は突出部１２ａに対応した同一形状の凹部１３ｂが形成される。これにより、ロール状の粘着フィルムから蓋用ラベル１２及び粘着テープ１３を連続して複数形成できる。従って、包装袋１の製造コストを削減できる。
【００２８】
突出部１２ａ及び粘着テープ１３の端部１３ａの下面は粘着剤が塗布されておらず、非粘着領域が形成される。これにより、使用者は突出部１２ａ又は端部１３ａを摘持して収納袋１０から突出部１２ａ又は粘着テープ１３を容易に剥離することができる。
【００２９】
蓋用ラベル１２及び粘着テープ１３は異なる色、絵柄、文字等が印刷されてもよい。これにより、使用者は、蓋用ラベル１２と粘着テープ１３とを区別して認識できる。
【００３０】
図４は収納袋１０を構成する積層フィルム６０の層構成を示す断面図である。収納袋１０を構成する積層フィルム６０は、最外層である基材層６１と最内層である熱接着性樹脂層６３との間にバリア層６２が積層され、水蒸気バリア性を有する。
【００３１】
基材層６１は、収納袋１０に密封性、耐突き刺し（耐ピンホール）性等を付与するものである。基材層６１としては、例えばポリエチレン、ポリプロピレン、ポリエチレンテレフタレート、ポリエステル、ポリアミド、ポリ塩化ビニル等の公知の樹脂を任意に選択することができる。また、これらの樹脂を複数積層して基材層６１を形成してもよい。
【００３２】
バリア層６２は、外部から収納袋１０の内部に水蒸気や酸素が浸入することを防止してウェットティッシュ３０の劣化を防止できる。また、ウェットティッシュ３０に含まれる保湿剤等が収納袋１０の外部に透過して乾燥すること防止できる。バリア層６２は、例えば、アルミニウム等の金属の蒸着膜、酸化アルミニウム、酸化珪素等の無機酸化物の蒸着膜により形成される。
【００３３】
熱接着性樹脂層６３は熱によって溶融して対向する積層フィルム６０を相互に融着し得るものであればよく、例えば、ポリエチレン、プロピレン等を任意に選択することができる。
【００３４】
図５は外装袋２０を構成する樹脂フィルム７０の層構成を示す断面図である。樹脂フィルム７０は、最外層である基材層７１と最内層である熱接着性樹脂層７３とを有する。
【００３５】
基材層７１及び熱接着性樹脂層７３は、それぞれ上述した基材層６１及び熱接着性樹脂層６３と同様の機能を有し、同じ樹脂を任意に選択して形成することができる。
【００３６】
また、熱接着性樹脂層７３には、消臭剤が配合されている。これにより、外装袋２０の内部に収納した内容物から発生する臭いを除去することができる。例えば、ポリエチレンにフラボノイド系消臭剤を熱接着性樹脂に練り込んで形成できる。これにより、後述するように外装袋２０内に使用済みのウェットティッシュ３０を封入したときに、臭いが外装袋２０の外部に漏出することを低減できる。
【００３７】
次に、包装袋１の使用方法について説明する。包装袋１の使用方法は、開封工程と、取出工程と、収納工程と、封止工程の順に行われる。
【００３８】
開封工程ではノッチ２０ａを起点にして開封予定線２０ｂに沿って外装袋２０を開封する（図１参照）。これにより、開口部２４（図６参照）が開口する。従って、外装袋２０の開封時に外装袋２０が破損することを防止できる。
【００３９】
次に、取出工程では外装袋２０から収納袋１０を取り出し、突出部１２ａを摘持して蓋用ラベル１２を収納袋１０から剥離する（図２参照）。このとき、取出口１１の部分のフィルムが切目線１１ｂに沿って切断され、蓋用ラベル１２の粘着剤面に接着した状態で剥ぎ取られる。これにより、収納袋１０の上面に取出口１１が開口する。
【００４０】
次に、取出口１１から収納袋１０内部のウェットティッシュ３０を取り出す。ウェットティッシュ３０の使用後、蓋用ラベル１２で取出口１１を再封止する。これにより、ウェットティッシュ３０の乾燥を防止できる。
【００４１】
収納工程は、図６に示すように、使用後のウェットティッシュ３０を開口端から外装袋２０に収納する。
【００４２】
封止工程は、粘着テープ１３の端部１３ａを摘持して粘着テープ１３を蓋用ラベル１２から切り離しながら、収納部１０から剥離する。
【００４３】
次に、図７に示すように、使用済みのウェットティッシュ３０を収納した外装袋２０の開口端を折り返して粘着テープ１３で封止する。このとき、ウェットティッシュ３０を収納した収納部２６に対して開口端を含む折曲部２５が折り返され、粘着テープ１３が収納部２６と折曲部２５とに跨って貼着される。これにより、外装袋２０の折り曲げ状態が保持され、外装袋２０の内部に気密性が得られる。従って、使用済みのウェットティッシュ３０の臭いが外部に漏出することを防ぎ、包装袋１の利便性を向上できる。また、新たに使用済みのウェットティッシュ３０を捨てる場合は、粘着テープ１３の一端を摘持して粘着テープ１３を引き剥がして外装袋２０を再開封し、外装袋２０に封入する。
【００４４】
本実施形態によると、収納袋１０に再粘着可能な粘着テープ１３を設けたので、使用済の内容物を入れた外装袋２０を収納袋１０から剥離した粘着テープ１３で封止できる。これにより、ウェットティッシュ３０の臭いを袋の内部に閉じ込めて外部に漏出することを防止できる。従って、包装袋１の利便性を向上できる。なお、使用済の内容物を外装袋２０に収納しているが、別途設けたゴミ袋に収納して粘着テープ１３により封止してもよい。しかし、外装袋２０を設けることにより、開封前に収納袋１０を保護するとともに、別途ゴミ袋を所持していない場合でも使用済みのウエットティッシュ３０を収納することができる。これにより、包装袋１の利便性がより向上する。
【００４５】
また、粘着テープ１３は、蓋用ラベル１２と同一部材から成り、蓋用ラベル１２と切離線１４を介して連設される。これにより、蓋用ラベル１２と粘着テープ１３とを一体に成形することができ、包装袋１の製造コストを削減できる。また、収納袋１０に蓋用ラベル１２と粘着テープ１３とを同時に貼着することができ、包装袋１の生産性が向上する。
【００４６】
また、粘着テープ１３は、端部１３ａに非粘着領域を有する。これにより、使用者は端部１３ａ摘持して容易に粘着テープ１３を収納袋１０から剥離できる。
【００４７】
また、外装袋２０は、最内層側に熱接着性樹脂層７３を有し、熱接着性樹脂層７３は、消臭剤を含有する。これにより、外装袋２０内に使用済みのウェットティッシュ３０を収納した際に、臭いが外装袋２０の外部に漏出することをより低減できる。
【００４８】
また、外装袋２０は、一方向に延びる開封予定線２０ｂが形成され、開封予定線２０ｂは樹脂フィルム７０に形成された非貫通の切込みから成る。これにより、外装袋２０を開封する際に、開封予定線２０ｂに沿って開口部２４（図６参照）が開口する。従って、開封時に外装袋２０が破損することを防止できる。
【００４９】
また、包装袋１の使用方法であって、外装袋２０を開封して収納袋１０を外装袋２０から取出す開封工程と、蓋用ラベル１２を剥離して取出口１１からウェットティッシュ３０を取出す取出工程と、使用後のウェットティッシュ３０を外装袋２０に収納する収納工程と、粘着テープ１３を収納袋１０から剥離し、外装袋２０の開口部２４を折曲して粘着テープ１３で外装袋２０を封止する封止工程と、を備えた。これにより、ウェットティッシュ３０の臭いを外装袋２０の内部に閉じ込めて外部に漏出することを防止できる。
【００５０】
[第２実施形態]
図８は第２実施形態に係る外装袋２０を構成する樹脂フィルム７０の層構成を示す断面図である。説明の便宜上、前述の図１〜図７に示す第１実施形態と同様の説明には同一の符号を付している。本実施形態の外装袋２０は、最外層である基材層７１と最内層である熱接着性樹脂層７３との間に消臭インキ層７２を有する。
【００５１】
消臭インキ層７２は、アンモニア、トリメチルアミン、硫化水素系、メル化プタン等が含まれるインキを基材層７１に印刷して形成される。これにより、外装袋２０内に使用済みのウェットティッシュ３０を封止したときに、臭いが外装袋２０の外部に漏出することをより低減できる。
【産業上の利用可能性】
【００５２】
本発明は、ウェットティッシュを包装する包装袋に利用可能である。
【符号の説明】
【００５３】
１      包装袋
１０      収納袋
１１      取出口
１１ａ    フィルム
１１ｂ    切目線
１２      蓋用ラベル
１２ａ    突出部
１３      粘着テープ
１３ａ    端部
１３ｂ    凹部
１４      切離線
２０      外装袋
２０ａ    ノッチ
２０ｂ    開封予定線
２０ｃ    挿通孔
２１      熱接着部
２４      開口部
２５      折曲部
２６      収納部
３０      ウェットティッシュ
６０      積層フィルム
６１、７１  基材層
６２      バリア層
６３、７３  熱接着性樹脂層
７０      樹脂フィルム
７２      消臭インキ層
【図１】
2020179863.tif 000003
【図２】
2020179863.tif 000004
【図３】
2020179863.tif 000005
【図４】
2020179863.tif 000006
【図５】
2020179863.tif 000007
【図６】
2020179863.tif 000008
【図７】
2020179863.tif 000009
【図８】
2020179863.tif 000010